(57)【要約】    【課題】  背表紙を表示する方式の陳列数を十分に確保しつつ、最下段にも顧客の視線が行き易くすると共にデザイン的にもすっきりとされており、かつ、おもて表紙を表示する面陳列の効果を発揮させて、通常は利用しにくい最上段の収納空間を有効利用可能な陳列棚を提供する。    【解決手段】  上下方向に多段とされて、背表紙を手前側に向けて書籍Ｂ…Ｂを収納する収納空間を形成する。そして、最上段の収納空間に、上部が手前側に突出すると共に前面が下向き姿勢とされた扉ユニット２１を備える。この扉ユニット２１は、その前面を開閉する扉部材２５を有しており、該扉部材２５の閉状態において下向き姿勢に傾斜した前面側に書籍Ｂを面陳列させる。【選択図】    図２
0003107825.tif 000002
【実用新案登録請求の範囲】
【請求項１】
左右の側板と両側板間に架設された複数の棚板とによって収納空間が区画されて、平板状の商品を載置するための多段の収納空間が形成された陳列棚であって、最上段の上記収納空間の前面は、上部が手前側に突出することによって下向きに傾斜しており、かつ、該収納空間には、下向きに傾斜した前面を開閉する扉部材が閉状態において下向き姿勢で備えられており、該扉部材の前面側が、上記商品の面陳列部とされていることを特徴とする陳列棚。
【請求項２】
扉部材の前面側の面陳列部には、該扉部材の下辺に設けられて商品の下部を受ける溝状の受け部材と、該扉部材の略中間部に装着されて商品の略中間部を受ける棒状の受け部材とが設けられていることを特徴とする請求項１に記載の陳列棚。
【請求項３】
扉部材は、両側板に上辺を支点に下辺が開閉自在に設けられており、かつ、該扉部材と側板との間に、該扉部材を開状態に保持するためのリンク機構と、該扉部材を閉状態に保持するための係合手段とが設けられていることを特徴とする請求項１または請求項２に記載の陳列棚。
【請求項４】
側板は、側板本体と該側板本体から突出する補助側板とで構成されていると共に、該補助側板と扉部材とリンク機構と係合手段とで扉ユニットが構成されており、かつ、該扉ユニットは、上記側板本体に結合されていることを特徴とする請求項１から請求項３のいずれかに記載の陳列棚。
【考案の詳細な説明】
【技術分野】
【０００１】
本考案は、書籍、雑誌、ＣＤ、ＤＶＤ、ビデオカセット等の平板状の商品を収納して陳列する棚に関し、商品陳列棚の技術分野に属する。
【背景技術】
【０００２】
従来より、書店やレンタルショップ等では、書籍、雑誌、ＣＤ、ＤＶＤ、ビデオカセット等の平板状の商品を収納して陳列する陳列棚が備えられている。
【０００３】
このような陳列棚としては、例えば特許文献１に開示のものがある。図７に示すように、この陳列棚１００は書籍Ｂ…Ｂの一般的な陳列状態を提供するもので、上下方向に多段の収納空間Ｓ…Ｓを有しており、該収納空間Ｓ…Ｓに、書籍Ｂ…Ｂが背表紙を手前側に向けて陳列されるようになっている。そして、この陳列棚１００の下方には、該陳列棚１００を挟んで２つの平台１１０，１１０が配置されており、該平台１１０，１１０上には、書籍Ｂ…Ｂがおもて表紙を上に向けて平積みされて、いわゆる面陳列されるようになっている。
【０００４】
また、背表紙を手前側に向けた陳列方法とおもて表紙を手前側に向けた陳列方法とが可能な陳列棚としては、例えば特許文献２に開示のものがある。図８に示すように、この陳列棚２００は、上下方向に３段かつ水平方向に複数に区画されて多数の収納空間Ｓ…Ｓを有しており、各収納空間Ｓには、書籍が背表紙を手前側に向けて陳列されるようになっている。
【０００５】
そして、特に中段の各収納空間Ｓには、上辺を支点に下辺が開閉自在とされ、かつ、下辺に受け部材２０１ａが連設された扉部材２０１が取り付けられている。この扉部材２０１は閉状態でやや上向き姿勢を保持するように構成されており、該扉部材２０１の前面側に、書籍Ｂがおもて表紙を手前側に向けて傾斜状態で面陳列されて、顧客の注目を集めることができるようになっている。
【０００６】
【特許文献１】特開２０００−１５７３５０号公報
【特許文献２】特開２００４−２２３００７号公報
【考案の開示】
【考案が解決しようとする課題】
【０００７】
ところで、上記特許文献２に記載の陳列棚２００では、一般的に顧客の目にとまり易いことから多数の書籍Ｂ…Ｂを陳列したい中段の収納空間Ｓ…Ｓが、扉部材２０１…２０１によって書籍Ｂ…Ｂを面陳列する構成とされているため、目に見える形で陳列することができる書籍Ｂ…Ｂの数が少なくなるという問題がある。
【０００８】
また、中段の収納空間Ｓ…Ｓが面陳列用途に使用されていることから、その下段の収納空間Ｓ…Ｓ方向には顧客の視線が集まりにくい傾向があり、さらに、上段及び下段に挟まれた中段の収納空間Ｓ…Ｓのみが扉部材２０１…２０１を有していることから、デザイン的にも違和感がある。
【０００９】
また、高さの高い陳列棚では、最上方の収納空間に背表紙を手前側に収納された書籍の背表紙は、顧客の視点からは見ずらいため、高所に位置する収納空間はとかくデッドスペース化しかねないという問題がある。なお、陳列棚の高さが低いと書籍の陳列数が少ないのは言うまでもない。
【００１０】
そこで、本考案は、上記現状に鑑み、書籍等の平板状商品を面陳列するのは顧客の視点から見て下方であるという先入観を払拭する発想に基づいてなしたもので、背表紙を表示する方式の陳列数を十分に確保しつつ、最下段にも顧客の視線が行き易くすると共にデザイン的にもすっきりとされており、かつ、おもて表紙を表示する面陳列の効果を発揮させて、通常は利用しにくい最上段の収納空間を有効利用可能な陳列棚の提供を課題とする。
【課題を解決するための手段】
【００１１】
上記課題を解決するため、本考案は次のように構成したことを特徴とする。
【００１２】
まず、請求項１に記載の考案は、左右の側板と両側板間に架設された複数の棚板とによって収納空間が区画されて、平板状の商品を載置するための多段の収納空間が形成された陳列棚であって、最上段の上記収納空間の前面は、上部が手前側に突出することによって下向きに傾斜しており、かつ、該収納空間には、下向きに傾斜した前面を開閉する扉部材が閉状態において下向き姿勢で備えられており、該扉部材の前面側が、上記商品の面陳列部とされていることを特徴とする。
【００１３】
次に、請求項２に記載の考案は、上記請求項１に記載の陳列棚において、扉部材の前面側の面陳列部には、該扉部材の下辺に設けられて商品の下部を受ける溝状の受け部材と、該扉部材の略中間部に装着されて商品の略中間部を受ける棒状の受け部材とが設けられていることを特徴とする。
【００１４】
また、請求項３に記載の考案は、上記請求項１または請求項２に記載の陳列棚において、扉部材は、両側板に上辺を支点に下辺が開閉自在に設けられており、かつ、該扉部材と側板との間に、該扉部材を開状態に保持するためのリンク機構と、該扉部材を閉状態に保持するための係合手段とが設けられていることを特徴とする。
【００１５】
そして、請求項４に記載の考案は、上記請求項１から請求項３のいずれかに記載の陳列棚において、側板は、側板本体と該側板本体から突出する補助側板とで構成されていると共に、該補助側板と扉部材とリンク機構と係合手段とで扉ユニットが構成されており、かつ、該扉ユニットは、上記側板本体に結合されていることを特徴とする。
【考案の効果】
【００１６】
まず、請求項１に記載の考案によれば、最上段の収納空間の前面を下方のものより手前側に突出させることによって下向きに傾斜させた上で、該収納空間の前面を開閉すると共に面陳列部を構成する扉部材を備えたので、該収納空間では、奥方に背表紙を手前側にして平板状の商品を効率的に収納する一方、その前面に扉部材によって顧客におもて表紙を見せるように平板状の商品を面陳列することができる。
【００１７】
したがって、最上段の収納空間に背表紙を手前側にして商品を収納させると共にその前面を面陳列可能としたことにより、顧客の目にとまり易い中段付近の収納空間を背表紙を表示する方式の陳列部として、陳列数を十分に確保することができる。
【００１８】
また、中段付近の収納空間には扉部材を設けないようにすることができるので、最下段にも顧客の視線が行き易くすると共にデザイン的にもすっきりとされることになる。
【００１９】
さらに、最上段の収納空間を前述した特徴的な構成としたことにより、おもて表紙を表示する面陳列の効果を発揮させて、通常は利用しにくい最上段の収納空間を有効利用可能な陳列棚が実現される。
【００２０】
次に、請求項２に記載の考案によれば、扉部材に設けた溝状の受け部材と棒状の受け部材とにより、平板状の商品は下部と略中間部とで扉部材に安定的に保持され、扉部材の開閉時に商品のばたつきや脱落が防止されるようになる。
【００２１】
また、請求項３に記載の考案によれば、扉部材を下開きするように構成したので、上開きの場合に比較して身長の低い顧客の場合にも該扉部材の開閉が容易となる。しかも、リンク機構及び係合手段を設けたので、扉部材を開状態及び閉状態に安定して確実に保持することができるようになる。
【００２２】
そして、請求項４に記載の考案によれば、側板を側板本体と補助側板とで構成した上で、該補助側板と扉部材とリンク機構と係合手段とで扉ユニットを構成したので、例えば既存の陳列棚に該扉ユニットを容易に付加して結合することができ、該陳列棚の付加価値が向上するようになる。
【考案を実施するための最良の形態】
【００２３】
以下、本考案の実施の形態に係る陳列棚について説明する。
【００２４】
図１及び図２に示す陳列棚１はスチール製の書籍陳列用のもので、左右一対の側板１１，１１と、該側板１１，１１の上端部間及び下端部間に架設された天板１２及び地板１３とを有している。また、天板１２と地板１３とで挟まれた両側板１１，１１間に５つの棚板１４…１４が架設されており、これにより、上下方向に６段の収納空間Ｓ…Ｓが形成されており、各収納空間Ｓに、背表紙を手前側に向けて書籍Ｂ…Ｂを収納することができるようになっている。
【００２５】
そして、最上段の収納空間Ｓには、本考案の特徴部分である扉ユニット２１が突出状態で結合されている。
【００２６】
図１〜図３に示すように、扉ユニット２１は、側板１１，１１に対して上方ほど手前側に突出する略楔状とされており、側面視でほぼ逆三角形状の左右一対の補助側板２２，２２と、該補助側板２２，２２の上端部間に架設された補助天板２３と、同じく下端部間に架設された側断面視で略コ字状の連結部材２４と、該扉ユニット２１の前面つまり最上段の収納空間Ｓの前面を下向き姿勢で覆う扉部材２５とを有している。
【００２７】
ここで、上記扉ユニット２１の組付構造について説明すると、まず、両補助側板２２，２２は補助天板２３の外側に配置され、両補助側板２２，２２と補助天板２３とは、補助天板２３の正面視で左右両端部に設けられた折返部（図３に一方のみ示す）２３ａ，２３ａを介して溶接によって結合されている。また、両補助側板２２，２２と連結部材２４とは、溶接によって結合されている。
【００２８】
補助天板２３の前方端部は上方に折り返されており、また、該折返部２３ｂの奥方近傍に側断面視でＬ字状の取付部材２６が固設されており、これら折返部２３ｂと取付部材２６との間の隙間に、当該収納空間Ｓに収納、陳列する書籍Ｂ…Ｂの名称等を表示するための二点鎖線で示す表示プレートＰが挟み込み可能とされている。
【００２９】
扉部材２５は、正面視で左右両端部に奥方の収納空間Ｓを向く折返部（図３に一方のみ示す）２５ａ，２５ａを有し、該折返部２５ａ，２５ａを除いてほぼ全面にわたって多数の丸孔２５′…２５′が設けられている（図１参照）。また、扉部材２５の下辺は側断面視でＬ字状に延設されて、書籍Ｂの下部を受ける溝状の受け部２５ｂが形成されている。また、扉部材２５の略中間部に、正面視で左右一対の上記丸孔２５′，２５′に左右一対の端部が係合することによって装着されて、書籍Ｂの略中間部を受ける棒状の受け部材２７が設けられている。
【００３０】
図３〜図５に示すように、扉ユニット２１においては、扉部材２５の左右一対の折返部（図例では一方のみ示す）２５ａ，２５ａの上部に固定されたピン２８，２８が、補助側板２２，２２の奥方の収納空間Ｓを向く折返部２２ｃ，２２ｃに設けられた長孔２２ｃ′，２２ｃ′に係合しており、これにより、扉部材２５は、ピン２８，２８を支点に下端部が回動自在とされている。
【００３１】
また、扉部材２５を閉状態に保持するための係合手段として、扉部材２５の両折返部２５ａ，２５ａの下端部が切り欠かれて係合部２５ａ′，２５ａ′が形成されており、該係合部２５ａ′，２５ａ′は、補助側板２２，２２の折返部２２ｃ，２２ｃの下端部近傍に固定されたピン２９，２９に係合可能とされている。
【００３２】
扉ユニット２１の一方（図例では正面視で左側）の補助側板２２と扉部材２５の一方（同じく左側）の折返部２５ａとにわたり、扉部材２５を開状態に保持するためのリンク機構３０が備えられている。該リンク機構３０は、それぞれ細長い板状の第１リンク部材３１と第２リンク部材３２とを有している。第１リンク部材３１は、一方の端部が補助側板２２に固設された支軸３３を支点に回動自在とされ、第２リンク部材３２は、一方の端部が扉部材２５の折返部２５ａのやや下部寄りの箇所に固設された支軸３４を支点に回動自在とされており、さらに、第１リンク部材３１の他方の端部と第２リンク部材３２の他方の端部とは支軸３５を介して連結されている。その場合、支軸３３と支軸３５との間隔は、支軸３４と支軸３５との間隔より幾分長く設定されており、また、第１リンク部材３１には、第２リンク部材３２に当接してその移動を規制する当り部３１ａが設けられている。
【００３３】
そして、図４及び図５に示すように、扉ユニット２１は、その下部が連結部材２４の延長された上面２４ａの奥方端部を介して棚板１４の上面に載置されて支持される一方、その上部は補助天板２３の奥方端部が天板１２の直下方に潜り込んでおり、その状態で、両補助側板２２，２２の奥方側と両側板１１，１１とが複数のビス３６…３６によって固定されている。
【００３４】
こうすることにより、扉部材２５が閉状態にあるときには、図４に示したようなリンク機構３０の配置とされ、第１及び第２リンク部材３１，３２は、扉部材２５の背後で支軸３５を上方に位置させた状態で折り畳まれることになる。
【００３５】
一方、扉部材２５が開状態にあるときには、図５に示したようなリンク機構３０の配置とされ、第１及び第２リンク部材３１，３２を連結する支軸３５が、支軸３３と支軸３４とを結ぶ一点鎖線で示す線Ｌより幾分下方にオフセットして位置した状態で、第２リンク部材３２の支軸３５側の端部と第１リンク部材３１の当り部３１ａとの当接によって第２リンク部材３２のこれ以上の移動が規制され、もってトグル機構が発現されて扉部材２５の開状態が安定して得られることになる。
【００３６】
なお、扉部材２５を閉状態から開状態にする場合には、図６に示すように、例えば扉部材２５の下部の受け部２５ｂを操作して該扉部材２５を扉ユニット２１の前面に沿って矢印ａで示すように斜め上方に持ち上げ、扉部材２５の折返部２５ａ，２５ａの上部に固定されたピン２８，２８を補助側板２２，２２の折返部２２ｃ，２２ｃに設けられた長孔２２ｃ′，２２ｃ′内で上方に移動させつつ、扉部材２５の折返部２５ａ，２５ａの下部の係合部２５ａ′，２５ａ′と補助側板２２，２２の折返部２２ｃ，２２ｃに固定されたピン２９，２９との係合を解除する。その場合、図４に示したように、リンク機構３０の両リンク部材３１，３２が折り畳まれている状態で、３つの支軸３３〜３５が一直線上に位置しないことから、図６に示すように、扉部材２５つまり支軸３４の矢印ａ方向への移動に伴って、上方の支軸３５が支軸３３を中心に矢印ｂ方向に容易に移動するため、扉部材２５のピン２８を支点とした下辺の回動が可能となり、もって扉部材２５を手前側に開くことができる。
【００３７】
このような構成により、まず、図１及び図２に示したように、最上段の収納空間Ｓの前面を下方のものより手前側に突出させることによって下向きに傾斜させた上で、該収納空間Ｓの前面を開閉すると共に面陳列部を構成する扉部材２５を備えたので、該収納空間Ｓでは、奥方に背表紙を手前側にして書籍Ｂを効率的に収納する一方、その前面に扉部材２５によって顧客におもて表紙を見せるように書籍Ｂを面陳列することができる。
【００３８】
したがって、最上段の収納空間Ｓに背表紙を手前側にして書籍Ｂ…Ｂを収納させると共にその前面を面陳列可能としたことにより、顧客の目にとまり易い中段付近の収納空間Ｓ…Ｓを背表紙を表示する方式の陳列部として、陳列数を十分に確保することができる。
【００３９】
また、中段付近の収納空間Ｓ…Ｓには扉部材２５…２５を設けないようにすることができるので、最下段にも顧客の視線が行き易くすると共にデザイン的にもすっきりとされることになる。
【００４０】
さらに、最上段の収納空間Ｓを前述した特徴的な構成としたことにより、おもて表紙を表示する面陳列の効果を発揮させて、通常は利用しにくい最上段の収納空間Ｓを有効利用可能な陳列棚１が実現される。
【００４１】
次に、図４及び図５に示すように、扉部材２５に設けた溝状の受け部２５ｂと棒状の受け部材２７とにより、書籍Ｂは下部と略中間部とで扉部材２５に安定的に保持され、扉部材２５の開閉時に書籍Ｂのばたつきや脱落が防止されるようになる。
【００４２】
また、同じく図４及び図５に示したように、扉部材２５を下開きするように構成したので、上開きの場合に比較して身長の低い顧客の場合にも該扉部材２５の開閉が容易となる。しかも、リンク機構３０及び係合手段としての係合部２５ａ′，２５ａ′とピン２９，２９とを設けたので、扉部材２５を開状態及び閉状態に安定して確実に保持することができるようになる。
【００４３】
そして、図３〜図５に示したように、側板１１，１１と補助側板２２，２２とで陳列棚１の側板を構成した上で、該補助側板２２，２２と扉部材２５とリンク機構３０と係合手段としての係合部２５ａ′，２５ａ′及びピン２９，２９とで扉ユニット２１を構成したので、例えば既存の陳列棚に該扉ユニット２１を容易に付加して結合することができ、該陳列棚の付加価値が向上するようになる。
【００４４】
なお、上記実施の形態では、本考案を書籍Ｂ…Ｂを陳列する陳列棚１に適用したが、その他に雑誌、ＣＤ、ＤＶＤ、ビデオカセット等の平板状の商品用の陳列棚に適用される。さらに、このような陳列棚を書庫等に備えられる収納棚に流用してもよい。
【００４５】
また、上記実施の形態では、陳列棚１はスチール製であったが、木製やプラスチック製等であってもよい。
【産業上の利用可能性】
【００４６】
以上説明したように、本考案によれば、背表紙を表示する方式の陳列数を十分に確保しつつ、最下段にも顧客の視線が行き易くすると共にデザイン的にもすっきりとされており、かつ、おもて表紙を表示する面陳列の効果を発揮させて、通常は利用しにくい最上段の収納空間を有効利用可能な陳列棚が提供される。すなわち、本考案は、書籍、雑誌、ＣＤ、ＤＶＤ、ビデオカセット等の平板状の商品を収納して陳列する棚に関し、商品陳列棚の技術分野に広く好適である。
【図面の簡単な説明】
【００４７】
【図１】本考案の実施の形態に係る陳列棚の概略構成を示す正面図である。＜１ｈ以上＞
【図２】同じく側面図である。
【図３】扉ユニットの一部破断側面図である。
【図４】図１のＩＩ−ＩＩ線による拡大断面図である。
【図５】扉部材を開状態に保持したときの図４に相当する断面図である。
【図６】扉部材を開き始めるときの図４に相当する断面図である。
【図７】従来の陳列棚の側面図である。
【図８】従来の別なる陳列棚の斜視図である。
【符号の説明】
【００４８】
１          陳列棚
１１        側板（側板本体）
１４        棚板
２１        扉ユニット
２２        補助側板
２５        扉部材
２５ａ′    係合部（係合手段）
２５ｂ      受け部（溝状の受け部材）
２７        受け部材（棒状の受け部材）
２９        ピン（係合手段）
３０        リンク機構
Ｂ          書籍（商品）
Ｓ          収納空間
【図１】
0003107825.tif 000003
【図２】
0003107825.tif 000004
【図３】
0003107825.tif 000005
【図４】
0003107825.tif 000006
【図５】
0003107825.tif 000007
【図６】
0003107825.tif 000008
【図７】
0003107825.tif 000009
【図８】
0003107825.tif 000010